(57)【要約】【課題】ダストカバー本体２の膜部５の厚みを増大させることなくその耐破性を向上させることができ、しかもプロテクター９による保護に方向性がなく、もって十分な保護作用を発揮することが可能なボールジョイント用ダストカバー１を提供する。【解決手段】膜部５を備えたダストカバー本体２を覆って保護するプロテクター９を有するボールジョイント用ダストカバー１において、プロテクター９が、ダストカバー本体２の膜部５の外径面に取り付けられて膜部５と共に弾性変形する弾性材製プロテクターであることを特徴とし、また、セット時のダストカバー本体２の変形を見込んだ形状に成形されていることを特徴とする。【選択図】        図１
2004251290.tif 000002
【特許請求の範囲】
【請求項１】
膜部（５）を備えたダストカバー本体（２）を覆って保護するプロテクター（９）を有するボールジョイント用ダストカバー（１）において、
前記プロテクター（９）が、前記ダストカバー本体（２）の膜部（５）の外径面に取り付けられて前記膜部（５）と共に弾性変形する弾性材製プロテクターであることを特徴とするボールジョイント用ダストカバー。
【請求項２】
膜部（５）を備えたダストカバー本体（２）を覆って保護するプロテクター（９）を有するボールジョイント用ダストカバー（１）において、
前記プロテクター（９）が、前記ダストカバー本体（２）の膜部（５）の外径面に接触して前記膜部（５）と共に弾性変形する弾性材製プロテクターであることを特徴とするボールジョイント用ダストカバー。
【請求項３】
請求項１または２のボールジョイント用ダストカバーにおいて、
プロテクター（９）が、セット時のダストカバー本体（２）の変形を見込んだ形状に成形されていることを特徴とするボールジョイント用ダストカバー。
【発明の詳細な説明】
【０００１】
【発明の属する技術分野】
本発明は、自動車または一般産業機械等におけるボールジョイントに装着使用されるボールジョイント用ダストカバーに関するものである。
【０００２】
【従来の技術】
従来から、図２に示すように、ボールジョイント５１の球面作動部５２にその保護部品として弾性材製のダストカバー５３が装着使用されているが、この従来のダストカバー５３には、これに外的要因が加わったときに、膜部５４に貫通亀裂が発生する場合がある。
【０００３】
したがって、従来は、ダストカバー５３の耐破性を向上させるべく、膜部５４の厚みを増大させる対策が採られているが、このように膜部５４の厚みを増大させると、膜部５４の剛性が強くなるために、ナックル５５への押し付け力（反発力）が増大し、よってリップ上面５６やナックル５５に異常磨耗が発生し易くなる。また、厚肉のダストカバー５３を成形するとなると、成形型からダストカバー５３を取り出す（離型する）際の抵抗が大きくなり、よって成形型からダストカバー５３を取り出しにくいという問題がある。
【０００４】
また、従来、図３に示すように、ダストカバー本体５８を保護すべく、このダストカバー本体５８をプロテクター５９で覆うようにしたダストカバー５７が開発されているが、この従来技術には、プロテクター５９がカップ状に形成されてその一端が開放端５９ａとされ、プロテクター５９とダストカバー本体５８との間に大きな隙間６０が形成されているために、  プロテクター５９による保護に方向性があり、よって十分な保護作用を発揮できない場合があるという不都合がある（実開昭５４−５４７６９号公報、実開昭５７−１９４９１９号公報、実開昭５７−１９４９２０号公報または実開昭５８−６００２２号公報参照）。
【０００５】
【発明が解決しようとする課題】
本発明は以上の点に鑑みて、ダストカバー本体の膜部の厚みを増大させることなくその耐破性を向上させることができ、しかもプロテクターによる保護に方向性がなく、もって十分な保護作用を発揮することが可能なボールジョイント用ダストカバーを提供することを目的とする。
【０００６】
【課題を解決するための手段】
上記目的を達成するため、本発明の請求項１によるボールジョイント用ダストカバーは、膜部を備えたダストカバー本体を覆って保護するプロテクターを有するボールジョイント用ダストカバーにおいて、前記プロテクターが、前記ダストカバー本体の膜部の外径面に取り付けられて前記膜部と共に弾性変形する弾性材製プロテクターであることを特徴とするものである。
【０００７】
また、本発明の請求項２によるボールジョイント用ダストカバーは、膜部を備えたダストカバー本体を覆って保護するプロテクターを有するボールジョイント用ダストカバーにおいて、前記プロテクターが、前記ダストカバー本体の膜部の外径面に接触して前記膜部と共に弾性変形する弾性材製プロテクターであることを特徴とするものである。
【０００８】
また、本発明の請求項３によるボールジョイント用ダストカバーは、上記した請求項１または２のボールジョイント用ダストカバーにおいて、プロテクターがセット時のダストカバー本体の変形を見込んだ形状に成形されていることを特徴とするものである。
【０００９】
上記構成を備えた本発明の請求項１によるダストカバーにおいては、ダストカバー本体を覆って保護するプロテクターが、ダストカバー本体の膜部の外径面に取り付けられて膜部と共に弾性変形する弾性材製プロテクターであるために、プロテクターがダストカバー本体の膜部を被覆した状態で装着され、よってプロテクターとダストカバー本体との間に上記従来技術のような隙間が形成されることがない。また、このプロテクターは、ダストカバー本体の膜部の外径面に取り付けられた範囲で上記従来技術のような開放端を持たないものである。したがってこれらのことから、このプロテクターによる保護には、上記従来技術のような方向性がない。また、このダストカバーは、プロテクターによる保護によってダストカバー本体の耐破性を向上させるものであるため、膜部の厚みを増大させる必要がない。
【００１０】
また、上記構成を備えた本発明の請求項２によるダストカバーにおいては、ダストカバー本体を覆って保護するプロテクターが、ダストカバー本体の膜部の外径面に接触して膜部と共に弾性変形する弾性材製プロテクターであるために、やはりプロテクターがダストカバー本体の膜部を被覆した状態で装着され、よってプロテクターとダストカバー本体との間に上記従来技術のような隙間が形成されることがない。また、このプロテクターは、ダストカバー本体の膜部の外径面に取り付けられた範囲で上記従来技術のような開放端を持たないものである。したがってこれらのことから、このプロテクターによる保護には、上記従来技術のような方向性がない。また、このダストカバーは、プロテクターによる保護によってダストカバー本体の耐破性を向上させるものであるため、膜部の厚みを増大させる必要がない。
【００１１】
またこれに加えて、上記構成を備えた本発明の請求項３によるダストカバーにおいては、プロテクターがセット時のダストカバー本体の変形を見込んだ形状に成形されているために、このプロテクターをダストカバー本体の膜部の外径面に取り付けても、ダストカバー本体の反発力が特に大きく増大することがない。
【００１２】
尚、本件提案には、以下の技術的事項が含まれる。
【００１３】
すなわち、本件出願が提案する一のダストカバーは、耐破性向上のため、ダストカバーの変形を見込んだ形状でのプロテクターをダストカバーに取り付けることを特徴とするものであり、また、従来技術のダストカバー外径部に、セット時のダストカバーの変形を見込んだ形状でのゴム、樹脂等の弾性材プロテクターを取り付けるものである。
【００１４】
そして、上記構成のダストカバーによれば、膜厚が厚くなることにより、外的要因が加わっても、ダストカバーまでの破損には至りにくく、よって耐破性を向上させることができる。また、予め、プロテクターをダストカバーのセット時の変形を見込んだ形状にしていることにより、反発力を抑えることができ、リップ上面・ナックルの磨耗を従来のダストカバーのみの場合と同等にすることができる。また、成形性については、従来と同様の方法によって成形することが可能であり、何ら問題はない。
【００１５】
【発明の実施の形態】
つぎに本発明の実施例を図面にしたがって説明する。
【００１６】
図１は、本発明の実施例に係るボールジョイント用ダストカバー１の装着状態の半裁断面を示しており、このダストカバー１は以下のように構成されている。
【００１７】
すなわち先ず、ゴムまたは樹脂等のゴム状弾性材によって環状に成形されたダストカバー本体２が設けられており、このダストカバー本体２の外周側に、同じくゴムまたは樹脂等のゴム状弾性材によって環状に成形されたプロテクター９が取り付けられている。
【００１８】
ダストカバー本体２は、ボールジョイント２１のボールスタッド２２の外周に嵌合される一端取付部３と、ボールジョイント２１のソケット２３に設けた装着溝２４に嵌合される他端取付部４との間に可撓性を有する膜部５を一体成形したものであって、一端取付部３の上面には、ボールジョイント２１のナックルアーム２５に密接するリップ部６が一体成形されている。また、この一端取付部３には、ボールスタッド２２に対する嵌合力を増大させるために補強環７が埋設されており、他端取付部４は、ソケット２３に対する嵌合力を増大させるために止め輪８をもって装着溝２４に嵌合されている。
【００１９】
また、プロテクター９は、ダストカバー本体２の膜部５の外径面に接触するようにこの膜部５の外径面に取り付けられて膜部５の弾性変形時にこの膜部５と共に弾性変形するものであって、予め、当該ダストカバー１装着時におけるダストカバー本体２の変形を見込んだ形状に成形されている。
【００２０】
上記構成のダストカバー１は、図示したように装着されて、外部のダストや水分等の異物がボールジョイント２１の球面作動部に侵入しないようにしたり、あるいは作動部潤滑用のグリースが外部へ漏洩しないようにしたりするものであって、上記構成により以下の作用効果を奏する点に特徴を有している。
【００２１】
すなわち先ず、上記構成のダストカバー１においては、ダストカバー本体２を覆うプロテクター９が、ダストカバー本体２の膜部５の外径面に接触するように膜部５の外径面に取り付けられて膜部５の弾性変形時に膜部５と共に弾性変形するものであるために、このプロテクター９は膜部５の外径面に密接し、よって両者５，９の間には上記従来技術のような隙間が形成されることがない。また、このプロテクター９は、上記従来技術のような開放端を持たないものである。したがってこれらのことから、このプロテクター９による保護には、上記従来技術のような方向性がなく、よってこのプロテクター９によってダストカバー本体２を十分に保護することができる。
【００２２】
また、このダストカバー１は、プロテクター９による保護によってダストカバー本体２の耐破性を向上させるものであるために、膜部５の厚みを増大させる必要がない。したがって、成形時における離型性に優れたものである。
【００２３】
またこれに加えて、上記構成のダストカバー１においては、プロテクター９が予め当該ダストカバー１装着時におけるダストカバー本体２の変形を見込んだ形状に成形されているために、このプロテクター９をダストカバー本体２の膜部５の外径面に取り付けても、ダストカバー本体２の反発力はそれほど増大することがない。したがって、リップ部６やナックルアーム２５に異常磨耗が発生するのを抑えることができる。
【００２４】
【発明の効果】
本発明は、以下の効果を奏する。
【００２５】
すなわち先ず、上記構成を備えた本発明の請求項１によるダストカバーにおいては、ダストカバー本体を覆って保護するプロテクターが、ダストカバー本体の膜部の外径面に取り付けられて膜部と共に弾性変形する弾性材製プロテクターとされているために、このプロテクターはダストカバー本体の膜部を被覆した状態で装着され、よってプロテクターとダストカバー本体との間には隙間が形成されることがない。また、このプロテクターは開放端を持たないものである。したがってこれらのことから、このプロテクターによる保護には方向性がなく、よってこのプロテクターによってダストカバー本体を十分に保護することができる。
【００２６】
また、このダストカバーは、プロテクターによる保護によってダストカバー本体の耐破性を向上させるものであるため、膜部の厚みを増大させる必要がないものである。したがって、成形時における離型性に優れている。
【００２７】
また、上記構成を備えた本発明の請求項２によるダストカバーにおいては、ダストカバー本体を覆って保護するプロテクターが、ダストカバー本体の膜部の外径面に接触して膜部と共に弾性変形する弾性材製プロテクターとされているために、このプロテクターはダストカバー本体の膜部を被覆した状態で装着され、よってプロテクターとダストカバー本体との間には隙間が形成されることがない。また、このプロテクターは開放端を持たないものである。したがってこれらのことから、このプロテクターによる保護には方向性がなく、よってこのプロテクターによってダストカバー本体を十分に保護することができる。
【００２８】
また、このダストカバーは、プロテクターによる保護によってダストカバー本体の耐破性を向上させるものであるため、膜部の厚みを増大させる必要がないものである。したがって、成形時における離型性に優れている。
【００２９】
またこれに加えて、上記構成を備えた本発明の請求項３によるダストカバーにおいては、プロテクターがセット時のダストカバー本体の変形を見込んだ形状に成形されているために、このプロテクターをダストカバー本体の膜部の外径面に取り付けても、ダストカバー本体の反発力はそれほど増大することがない。したがって、リップ部やナックルアームに異常磨耗が発生するのを抑えることができる。
【図面の簡単な説明】
【図１】本発明の実施例に係るダストカバーの装着状態を示す半裁断面図
【図２】従来例に係るダストカバーの装着状態を示す半裁断面図
【図３】他の従来例に係るダストカバーの断面図
【符号の説明】
１  ダストカバー
２  ダストカバー本体
３  一端取付部
４  他端取付部
５  膜部
６  リップ部
７  補強環
８  止め輪
９  プロテクター
２１  ボールジョイント
２２  ボールスタッド
２３  ソケット
２４  装着溝
２５  ナックルアーム
【図１】
2004251290.tif 000003
【図２】
2004251290.tif 000004
【図３】
2004251290.tif 000005
【手続補正書】
【提出日】平成13年11月22日(2001.11.22)
【手続補正１】
【補正対象書類名】図面
【補正対象項目名】全図
【補正方法】変更
【補正の内容】
【図１】
2004251290.tif 000006
【図２】
2004251290.tif 000007
【図３】
2004251290.tif 000008